(57)【要約】【課題】弱い電波でも通信可能な状態として、省電力なプリンタを提供する。【解決手段】インク収容体を着脱可能な移動体と、前記移動体に設けられ、前記インク収容体に設けられた素子に対して無線で情報を読み書きするためのアンテナと、を有する印刷装置であって、前記インク収容体を前記移動体に装着するとき、前記アンテナは、前記素子を押し付ける。【選択図】図２１
2006281791.tif 000002
【特許請求の範囲】
【請求項１】
インク収容体を着脱可能な移動体と、
前記移動体に設けられ、前記インク収容体に設けられた素子に対して無線で情報を読み書きするためのアンテナと、
を有する印刷装置であって、
前記インク収容体を前記移動体に装着するとき、前記アンテナは、前記素子を押し付ける。
【請求項２】
請求項１に記載の印刷装置であって、
前記インク収容体を前記移動体に装着するとき、前記アンテナを被覆する部材は、前記素子を被覆する部材と接触する。
【請求項３】
請求項１に記載の印刷装置であって、
前記アンテナは、装着された前記インク収容体を覆うために前記移動体に設けられた蓋に配置される。
【請求項４】
請求項１に記載の印刷装置であって、
前記移動体は、前記インク収容体を装着するための空間を形成する枠を有し、
前記アンテナは、前記枠の内側に配置される。
【請求項５】
請求項１に記載の印刷装置であって、
前記移動体は、複数の前記インク収容体を装着可能であり、
各インク収容体に設けられた素子にそれぞれ対応するように、複数の前記アンテナが前記移動体に設けられている。
【請求項６】
請求項１に記載の印刷装置であって、
前記移動体は、複数の前記インク収容体を装着可能であり、
前記アンテナは、複数の前記素子に対して情報を読み書き可能である。
【請求項７】
コンピュータと、
前記コンピュータに接続され、インク収容体を着脱可能な移動体と、前記移動体に設けられ前記インク収容体に設けられた素子に対して無線で情報を読み書きするためのアンテナと、
を有する印刷システムであって、
前記インク収容体を前記移動体に装着するとき、前記アンテナは、前記素子を押し付ける。
【発明の詳細な説明】
【技術分野】
【０００１】
本発明は、紙などの被印刷体に印刷を行う印刷装置に関する。また、本発明は、このような印刷装置を備えた印刷システムに関する。
【０００２】
また、本出願は、２００２年３月１８日付で出願した日本国特許出願第２００２−７５０３３号、２００２年３月２０日付で出願した日本国特許出願第２００２−７８７１９号、及び、２００２年３月２０日付で出願した日本国特許出願第２００２−７８７２０号に基づく優先権を主張するものであり、該出願を本明細書に援用する。
【背景技術】
【０００３】
紙、布、フィルム等の各種の被印刷体に印刷を行う印刷装置として、各種のプリンタが知られている。このようなプリンタには、インクをインク収容体に収めて着脱可能とするカートリッジ方式が広く採用されている。
【０００４】
このようなカートリッジ方式のプリンタでは、カートリッジ内のインク残量等を監視するため、カートリッジにメモリを設けることが知られている。そして、このメモリに対して適宜に情報を書き込み、又は、読み出したりすることが行われている。
【０００５】
しかし、カートリッジに設けられたメモリに対して書き込みや読み出しを行うとき、接触式のコネクタを必要とする場合、接触部の耐久性が問題となる。そこで、本発明は、インク収容体（例えばカートリッジ）に設けられた素子（例えばメモリを有する記憶ユニット）に対して、アンテナを用いて無線で通信を行う。
【０００６】
また、無線にて通信を行う場合、弱い電波でも通信できることが望ましい。そこで、本発明は、弱い電波でも通信可能な状態として、省電力なプリンタを提供することを目的とする。
【発明の開示】
【課題を解決するための手段】
【０００７】
本発明の態様では、インク収容体を着脱可能な移動体と、前記移動体に設けられ前記インク収容体に設けられた素子に対して無線で情報を読み書きするためのアンテナと、を有し、前記インク収容体を前記移動体に装着するとき、前記アンテナは、前記素子を押し付ける。  
なお、本発明を別の観点からとらえることも可能である。そして、本発明の他の特徴については、添付図面及び本明細書の記載により明らかにする。
【０００８】
本発明の他の特徴については、本明細書及び添付図面の記載により明らかにする。
【発明を実施するための最良の形態】
【０００９】
＜開示の概要＞
本明細書及び添付図面の記載により、少なくとも、以下の事項が明らかとなる。
【００１０】
印刷装置は以下を有する、インク収容体に設けられた素子に対して無線で通信するためのアンテナ、及び記憶媒体を着脱可能な着脱部、
ここで、
前記アンテナは、平面状のアンテナであり、
前記アンテナは、前記着脱部に装着された前記記憶媒体に対して無線で通信可能であり、
前記着脱部は、前記媒体が前記アンテナに対して平行になるように、前記記憶媒体を装着し、
前記アンテナの一方の面は、前記素子に対向し、
前記アンテナの他方の面は、前記着脱部に装着された前記記憶媒体に対向する。
【００１１】
このような印刷装置によれば、アンテナは、インク収容体に設けられた素子に対して通信可能なだけでなく、着脱部に設置された記憶媒体に対しても通信可能であるので、アンテナを有効に利用することができる。要するに、アンテナがインク収容体に設けられた素子に対する方向だけでなく他の方向にも磁界を発生させていることを利用する点が特徴である。つまり、このような印刷装置によれば、平面状のアンテナが両面に磁界を発生させる性質を利用することにより、記憶媒体と素子との両方に対して、無線で通信可能である。また、このような平面状のアンテナと記憶媒体とが平行になるので、アンテナと記憶媒体との間の無線による通信が良好な状態になる。
【００１２】
また、かかる印刷装置であって、前記アンテナは、前記インク収容体を交換する際に開閉される蓋に設けられていることが望ましい。このような印刷装置によれば、インク収容体を交換する際に、素子とアンテナとが対向しない状態になるので、インク収容体の交換を容易にすることができる。  
また、かかる印刷装置であって、前記着脱部は、前記蓋に設けられていることが望ましい。このような印刷装置であれば、着脱部も蓋と一緒に開閉されるので、インク収容体の交換を容易にすることができる。
【００１３】
また、かかる印刷装置であって、前記インク収容体を着脱可能な移動体を更に有し、前記アンテナは前記移動体の蓋に設けられていることが望ましい。このような印刷装置によれば、印刷動作中にアンテナが素子に通信可能であるとともに、素子とアンテナの間の距離が短くなるので、弱い電波でも通信が可能になる。
【００１４】
また、かかる印刷装置であって、前記蓋の材質は、非磁性体であることが望ましい。このような印刷装置によれば、着脱部に設置された記憶媒体に対する通信の信頼性が向上する。  
また、かかる印刷装置であって、前記着脱部は、非磁性体であることが望ましい。このような印刷装置によれば、着脱部に設置された記憶媒体に対する通信の信頼性が向上する。
【００１５】
また、かかる印刷装置であって、前記着脱部は、前記記録媒体の位置を規制することが望ましい。このような印刷装置によれば、記憶媒体の位置が規制されるので、記憶媒体に対する通信の信頼性が向上する。  
かかる印刷装置であって、前記着脱部は、前記記憶媒体を挿入するためのスロットであることが望ましい。このような印刷装置によれば、挿入された記憶媒体の位置が規制されるので、記憶媒体に対する通信の信頼性が向上する。
【００１６】
また、かかる印刷装置であって、インクを吐出するノズルの目詰まりを防止するユニットをさらに備え、前記アンテナは、前記ユニットの上方に設けられている。このような印刷装置によれば、ノズルの目詰まりの防止動作中に、アンテナが素子に通信可能である。
【００１７】
また、かかる印刷装置であって、前記アンテナは、非印刷体に印刷を行う領域の上方に設けられていることが望ましい。このような印刷装置によれば、印刷動作中に、アンテナが素子に通信可能である。
【００１８】
また、かかる印刷装置であって、前記アンテナは、前記素子に対して、インクの量に関する情報を通信することが望ましい。このような印刷装置によれば、アンテナは、印刷動作中に、リアルタイムのインクの量に関する情報を素子に書き込むことができる。
【００１９】
また、かかる印刷装置であって、前記アンテナは、前記記憶媒体に対して、被印刷体に関する情報を通信することが望ましい。このような印刷装置によれば、印刷装置が、アンテナを介して、被印刷体に関する情報を得ることができる。
【００２０】
なお、かかる印刷装置であって、前記被印刷体に関する情報に基づいて、印刷動作の条件を設定しても良い。このような印刷装置によれば、被印刷体に応じた印刷を行うことができるので、高精度な印刷を行うことができる。また、かかる印刷装置であって、前記印刷動作の条件とは、インクの吐出のタイミングに関する条件、または、インクの吐出の量に関する条件であっても良い。このような印刷装置によれば、高精度な印刷を行うことができる。
【００２１】
また、かかる印刷装置であって、前記記憶媒体は前記被印刷体と共に包装されており、前記印刷装置が前記被印刷体を印刷するときに、前記記録媒体は、前記被印刷体と独立して取り出されて前記着脱部に装着されることが望ましい。このような記憶媒体と被印刷体を包装したパッケージを利用すれば、記憶媒体が記憶する情報を用いて被印刷体に適した設定を行うことが可能である一方、設定作業を容易にすることが可能である。
【００２２】
また、かかる印刷装置であって、前記アンテナは、前記記憶媒体に対して、前記被印刷体に対するドライバ情報をダウンロードできる場所の情報を通信することが望ましい。かかる印刷装置によれば、最新の情報に基づく設定を容易にできる。
【００２３】
なお、かかるパッケージであって、前記記憶媒体は、前記被印刷体を識別するための情報を記憶することが望ましい。このようなパッケージであれば、被印刷体に適したプリンタの設定を行うことが可能である。  
また、かかるパッケージであって、前記記憶媒体は、前記被印刷体の種類に関する情報を記憶することが望ましい。このようなパッケージであれば、被印刷体の種類に応じて、プリンタの設定を容易に行うことが可能である。  
また、かかるパッケージであって、前記記憶媒体は、前記被印刷体の大きさに関する情報を記憶することが望ましい。このようなパッケージであれば、被印刷体の大きさに応じて、プリンタの設定を容易に行うことができる。
【００２４】
また、かかるパッケージであって、前記記憶媒体は、前記被印刷体の厚さに関する情報を記憶することが望ましい。このようなパッケージによれば、被印刷体の厚さに応じて、プリンタの設定を容易に行うことができる。  
また、かかるパッケージであって、前記記憶媒体は、前記被印刷体の印刷のための色補正に関する情報を記憶することが望ましい。このようなパッケージによれば、被印刷体の印刷のための色補正の設定を容易に行うことができる。  
また、かかるパッケージであって、前記記憶媒体は、前記被印刷体の製造時期に関する情報を記憶することが望ましい。このようなパッケージによれば、被印刷体の製造時期に応じて、プリンタの設定を容易行うことができる。
【００２５】
また、かかるパッケージであって、前記記憶媒体は、前記被印刷体の印刷条件に関する情報を記憶することが望ましい。このようなパッケージによれば、被印刷体の印刷条件を容易に設定することが可能である。  
また、かかるパッケージであって、前記記憶媒体は、無線により通信可能であることが望ましい。このようなパッケージによれば、非接触による通信で、プリンタの設定を容易にすることができる。  
また、かかるパッケージであって、前記記憶媒体は、平面状のアンテナを有することが望ましい。このようなパッケージによれば、記憶媒体を平面状にすることができる。
【００２６】
また、かかるパッケージであって、前記記憶媒体は、コネクタを接続するための接点を有することが望ましい。このようなパッケージによれば、コネクタを記憶媒体に接触させて、記憶媒体と通信することができる。  
また、かかるパッケージであって、前記記憶媒体は、該記憶媒体の方向を識別するための目印を有することが望ましい。このようなパッケージによれば、記憶媒体を正しくプリンタに装着することが可能になる。
【００２７】
印刷システムは以下を有する、コンピュータ、および前記コンピュータに接続され、インク収容体に設けられた素子に対して無線で通信するためのアンテナと、記憶媒体を着脱可能な着脱部とを有する印刷装置、
ここで、
前記アンテナは、平面状のアンテナであり、
前記アンテナの一方の面は、前記素子に対向し、
前記着脱部は、前記媒体が前記アンテナに対して平行になるように、前記記憶媒体を装着し、
前記アンテナの他方の面は、着脱部に装着された前記記憶媒体に対向し、
前記アンテナは、前記着脱部に装着された前記記憶媒体に対して無線で通信可能である。  
このようなコンピュータシステムによれば、アンテナを有効に利用した印刷装置により、安価で省スペースなシステムを提供することができる。
【００２８】
印刷装置は以下を有する、インク収容体を着脱可能な移動体、および前記移動体に設けられ、前記インク収容体に設けられた素子に対して無線で通信するためのアンテナ、
ここで、
前記インク収容体を前記移動体に装着するとき、前記アンテナは、前記素子を押し付ける。  
このような印刷装置によれば、素子とアンテナの間の距離が短くなるので、弱い電波でも通信が可能になる。なお、このような印刷装置によれば、アンテナが移動体に設けられているので、インク収容体が移動体によって移動している間であっても、インク収容体に設けられた素子に対して無線で通信が可能になる。
【００２９】
かかる印刷装置であって、前記インク収容体を前記移動体に装着するとき、前記アンテナを被覆する部材は、前記素子を被覆する部材と接触することが望ましい。このような印刷装置であれば、素子とアンテナの間の距離が短くなるので、弱い電波でも通信が可能になる。
【００３０】
かかる印刷装置であって、前記アンテナは、装着された前記インク収容体を覆うために前記移動体に設けられた蓋に配置されることが望ましい。このような印刷装置であれば、蓋が閉じられると素子とアンテナが対向するので、弱い電波でも通信が可能になる。
【００３１】
かかる印刷装置であって、前記移動体は前記インク収容体を装着するための空間を形成する枠を有し、前記アンテナは前記枠の内側に配置されることが望ましい。このような印刷装置であれば、移動体にインク収容体が装着されたとき、インク収容体に設けられた素子とアンテナが対向することが可能である。
【００３２】
かかる印刷装置であって、前記移動体は複数の前記インク収容体を装着可能であり、各インク収容体に設けられた素子にそれぞれ対応するように、複数の前記アンテナが前記移動体に設けられていることが望ましい。このような印刷装置によれば、複数のアンテナを用いて複数の素子に対して通信でき、アンテナと素子とを一対一に対応させることができる。
【００３３】
かかる印刷装置であって、前記移動体は複数の前記インク収容体を装着可能であり、前記アンテナは、複数の前記素子に対して無線で通信可能であることが望ましい。このような印刷装置によれば、アンテナを大きくすることができるので、送受信する信号を大きくすることができ、通信の信頼性を向上させることができる。また、このような印刷装置によれば、アンテナ数を少なくできるので、製造コストを軽減できる。
【００３４】
なお、かかる印刷装置であって、前記素子と前記アンテナとは、対向するように配置されても良い。このような印刷装置であれば、弱い電波でも通信が可能となる。
【００３５】
また、かかる印刷装置であって、被印刷体に対して印刷を行っているときに、前記アンテナは、前記インク収容体に対して無線で通信可能であっても良い。このような印刷装置によれば、印刷時の情報をリアルタイムに通信することができる。
【００３６】
また、かかる印刷装置であって、前記素子は、前記インク収容体のインクに関する情報を記憶しても良い。このような印刷装置によれば、着脱可能なインク収容体にインクに関する情報を持たせることができる。
【００３７】
また、かかる印刷装置であって、前記素子は、前記インク収容体のインクの量に関する情報を記憶しても良い。このような印刷装置によれば、突然電源を切ってインク収容体を交換したときであっても、インク収容体は、正しいインク残量情報を持つことができる。
【００３８】
また、トナー収容体を着脱可能な移動体と、該トナー収容体に設けられた素子に対して、無線で通信するアンテナとを備えた印刷装置であって、該アンテナは、該移動体に設けられていることを特徴とする印刷装置であっても良い。このような印刷装置によれば、トナー収容体が移動体によって移動している間であっても、トナー収容体に設けられた素子に対して無線で通信が可能になる。
【００３９】
また、インク収容体を着脱可能な移動体と、該移動体に設けられ、該インク収容体に設けられた素子に対して無線で通信するためのアンテナとを備えた印刷装置に、該移動体が移動しているときに該アンテナが該インク収容体に設けられた素子に対して無線で通信する機能を実現させることを特徴とするプログラムであっても良い。このようなプログラムによれば、インク収容体が移動体によって移動している間であっても、インク収容体に設けられた素子に対して無線で通信が可能なように印刷装置を制御することができる。
【００４０】
印刷システムは以下を有する、コンピュータ、および、前記コンピュータに接続され、インク収容体を着脱可能な移動体と、前記移動体に設けられ前記インク収容体に設けられた素子に対して無線で通信するためのアンテナ、
ここで、
前記インク収容体を前記移動体に装着するとき、前記アンテナは、前記素子を押し付ける。  
このような印刷システムによれば、素子とアンテナの間の距離が短くなるので、弱い電波でも通信が可能になる。なお、このような印刷システムによれば、アンテナが移動体に設けられているので、インク収容体が移動体によって移動している間であっても、インク収容体に設けられた素子に対して無線で通信が可能になる。
【００４１】
なお、このような印刷装置の他にも、搬送量補正用パターン、プログラム、コンピュータシステムおよび印刷方法が明らかにされている。
【００４２】
１．第１実施形態
＝＝＝印刷装置（インクジェットプリンタ）の概要＝＝＝
＜インクジェットプリンタの構成について＞
図１、図２および図３を参照しつつ、印刷装置としてインクジェットプリンタを例にとって、その概要について説明する。なお、図１は、本実施形態のインクジェットプリンタの全体構成の説明図である。また、図２は、本実施形態のインクジェットプリンタのキャリッジ周辺の概略図である。また、図３は、本実施形態のインクジェットプリンタの搬送ユニット周辺の説明図である。
【００４３】
本実施形態のインクジェットプリンタは、紙搬送ユニット１０、インク吐出ユニット２０、クリーニングユニット３０、キャリッジユニット４０、計測器群５０、および制御ユニット６０を有する。
【００４４】
紙搬送ユニット１０は、被印刷体である例えば紙を印刷可能な位置に送り込み、印刷時に所定の方向（図１において紙面に垂直な方向（以下、紙送り方向という））に所定の移動量で紙を移動させるためのものである。紙搬送ユニット１０は、給紙挿入口１１Ａと排紙口１１Ｂと、給紙モータ１２と、給紙ローラ１３と、プラテン１４と、紙送りモータ（以下、ＰＦモータという）１５と、紙送りモータドライバ（以下、ＰＦモータドライバという）１６と、紙送りローラ１７Ａと排紙ローラ１７Ｂと、フリーローラ１８Ａとフリーローラ１８Ｂと、歯車１９Ａと歯車１９Ｂと歯車１９Ｃ、とを有する。給紙挿入口１１は、被印刷体である紙を挿入する装着部である。給紙モータ１２は、給紙挿入口１１に挿入された紙をプリンタ内に搬送するモータであり、ＤＣモータで構成される。給紙ローラ１３は、給紙挿入口１１に挿入された紙をプリンタ内に搬送するローラであり、給紙モータ１２によって駆動される。プラテン１４は、印刷中の紙Ｓを支持する。ＰＦモータ１５は、被印刷体である例えば紙を紙送り方向に送り出すモータであり、ＤＣモータで構成される。ＰＦモータドライバ１６は、ＰＦモータ１５の駆動を行うためのものである。紙送りローラ１７Ａは、給紙ローラ１３によってプリンタ内に搬送された紙Ｓを印刷可能な領域まで送り出すローラであり、ＰＦモータ１５によって駆動される。フリーローラ１８Ａは、紙送りローラ１７Ａと対向する位置に設けられ、紙Ｓを紙送りローラ１７Ａとの間に挟むことによって紙Ｓを紙送りローラ１７Ａに向かって押さえる。排紙ローラ１７Ｂは、印刷が終了した紙Ｓをプリンタの外部に排出するローラである。フリーローラ１８Ｂは、排紙ローラ１７Ｂと対向する位置に設けられ、紙Ｓを排紙ローラ１７Ｂとの間に挟むことによって紙Ｓを排紙ローラ１７Ｂに向かって押さえる。歯車１９Ａ、歯車１９Ｂおよび歯車１９Ｃは、ＰＦモータ１５によって排紙ローラ１７Ｂを駆動するため、ＰＦモータ１５の駆動力を排紙ローラ１７Ｂに伝達するためのものである。排紙口１１Ｂは、印刷が終了した紙をプリンタの外部に排出するところである。
【００４５】
インク吐出ユニット２０は、被印刷体である例えば紙にインクを吐出するためのものである。インク吐出ユニット２０は、ヘッド２１と、ヘッドドライバ２２とを有する。ヘッド２１は、インク吐出部であるノズルを複数有し、各ノズルから断続的にインクを吐出する。ヘッドドライバ２２は、ヘッド２１を駆動して、ヘッドから断続的にインクを吐出させるためのものである。
【００４６】
クリーニングユニット３０は、ヘッド２１のノズルの目詰まりを防止するためのものである。クリーニングユニット３０は、ポンプ装置３１と、キャッピング装置３５とを有する。ポンプ装置は、ヘッド２１のノズルの目詰まりを防止するため、ノズルからインクを吸い出すものであり、ポンプモータ３２とポンプモータドライバ３３とを有する。ポンプモータ３２は、ヘッド２１のノズルからインクを吸引する。ポンプモータドライバ３３は、ポンプモータ３２を駆動する。キャッピング装置３５は、ヘッド２１のノズルの目詰まりを防止するため、印刷を行わないとき（待機時）に、ヘッド２１のノズルを封止する。
【００４７】
キャリッジユニット４０は、ヘッド２１を所定の方向（図１において紙面の左右方向（以下、走査方向という））に走査移動させるためのものである。キャリッジユニット４０は、キャリッジ４１と、キャリッジモータ（以下、ＣＲモータという）４２と、キャリッジモータドライバ（以下、ＣＲモータドライバという）４３と、プーリ４４と、タイミングベルト４５と、ガイドレール４６とを有する。キャリッジ４１は、走査方向に移動可能であって、ヘッド２１を固定している（したがって、ヘッド２１のノズルは、走査方向に沿って移動しながら、断続的にインクを吐出する）。また、キャリッジ４１は、インクを収容するインクカートリッジ７０が着脱可能なフレーム（着脱部）を有する。このフレームは、各色のカートリッジ（ブラックカートリッジ７０Ｂ、シアンカートリッジ７０Ｃ、マゼンタカートリッジ７０Ｍ、イエローカートリッジ７０Ｙ）を着脱可能である。なお、カートリッジ７０とフレームについては、後述する。ＣＲモータ４２は、キャリッジを走査方向に移動させるモータであり、ＤＣモータで構成される。ＣＲモータドライバ４３は、ＣＲモータ４２を駆動するためのものである。プーリ４４は、ＣＲモータ４２の回転軸に取付けられている。タイミングベルト４５は、プーリ４４によって駆動される。ガイドレール４６は、キャリッジ４１を走査方向に案内する。
【００４８】
計測器群５０には、リニア式エンコーダ５１と、ロータリー式エンコーダ５２と、紙検出センサ５３と、ギャップセンサ５４とがある。リニア式エンコーダ５１は、キャリッジ４１の位置を検出するためのものである。ロータリー式エンコーダ５２は、ＰＦモータ１５の回転量を検出するためのものである。なお、エンコーダの構成等については、後述する。紙検出センサ５３は、印刷される紙の端部（先端又は終端）の位置を検出するためのものである。ギャップセンサ５４は、ノズルから紙Ｓまでの距離を検出するためのものである。
【００４９】
制御ユニット６０は、プリンタの制御を行うためのものである。制御ユニット６０は、ＣＰＵ６１と、タイマ６２と、インターフェース部６３と、ＡＳＩＣ６４と、メモリ６５と、ＤＣコントローラ６６とを有する。ＣＰＵ６１は、プリンタ全体の制御を行うためのものであり、ＤＣコントローラ６６、ＰＦモータドライバ１６、ＣＲモータドライバ４３、ポンプモータドライバ３２およびヘッドドライバ２２に制御指令を与える。タイマ６２は、ＣＰＵ６１に対して周期的に割り込み信号を発生する。インターフェース部６３は、プリンタの外部に設けられたホストコンピュータ６７との間でデータの送受信を行う。ＡＳＩＣ６４は、ホストコンピュータ６７からインターフェース部６３を介して送られてくる印刷情報に基づいて、印刷の解像度やヘッドの駆動波形等を制御する。メモリ６５は、ＡＳＩＣ６４及びＣＰＵ６１のプログラムを格納する領域や作業領域等を確保するためのものであり、ＰＲＯＭ、ＲＡＭ、ＥＥＰＲＯＭ等の記憶手段を有する。ＤＣコントローラ６６は、ＣＰＵ６１から送られてくる制御指令と計測器群５０からの出力に基づいて、ＰＦモータドライバ１６及びＣＲモータドライバ４３を制御する。
【００５０】
＜エンコーダの構成について＞
図４は、リニア式エンコーダ５１の説明図である。  
リニア式エンコーダ５１は、キャリッジ４１の位置を検出するためのものであり、リニアスケール５１１と検出部５１２とを有する。  
リニアスケール５１１は、所定の間隔（例えば、１／１８０インチ（１インチ＝２．５４ｃｍ））毎にスリットが設けられており、プリンタ本体側に固定されている。
【００５１】
検出部５１２は、リニアスケール５１１と対向して設けられており、キャリッジ４１側に設けられている。検出部５１２は、発光ダイオード５１２Ａと、コリメータレンズ５１２Ｂと、検出処理部５１２Ｃとを有しており、検出処理部５１２Ｃは、複数（例えば、４個）のフォトダイオード５１２Ｄと、信号処理回路５１２Ｅと、２個のコンパレータ５１２Ｆａ、５１２Ｆｂとを備えている。
【００５２】
発光ダイオード５１２Ａは、両端の抵抗を介して電圧Ｖｃｃが印加されると光を発し、この光はコリメータレンズに入射される。コリメータレンズ５１２Ｂは、発光ダイオード５１２Ａから発せられた光を平行光とし、リニアスケール５１１に平行光を照射する。リニアスケールに設けられたスリットを通過した平行光は、固定スリット（不図示）を通過して、各フォトダイオード５１２Ｄに入射する。フォトダイオード５１２Ｄは、入射した光を電気信号に変換する。各フォトダイオードから出力される電気信号は、コンパレータ５１２Ｆａ、５１２Ｆｂにおいて比較され、比較結果がパルスとして出力される。そして、コンパレータ５１２Ｆａ、５１２Ｆｂから出力されるパルスＥＮＣ−Ａ及びパルスＥＮＣ−Ｂが、リニア式エンコーダ５１の出力となる。
【００５３】
図５は、リニア式エンコーダ５１の２種類の出力信号の波形を示すタイミングチャートである。図５Ａは、ＣＲモータ４２が正転しているときにおける出力信号の波形のタイミングチャートである。図５Ｂは、ＣＲモータ４２が反転しているときにおける出力信号の波形のタイミングチャートである。
【００５４】
図５Ａ及び図５Ｂに示す通り、ＣＲモータ４２の正転時および反転時のいずれの場合であっても、パルスＥＮＣ−ＡとパルスＥＮＣ−Ｂとは、位相が９０度ずれている。ＣＲモータ４２が正転しているとき、すなわち、キャリッジ４１が主走査方向に移動しているときは、図５Ａに示す通り、パルスＥＮＣ−Ａは、パルスＥＮＣ−Ｂよりも９０度だけ位相が進んでいる。一方、ＣＲモータ４２が反転しているときは、図５Ｂに示す通り、パルスＥＮＣ−Ａは、パルスＥＮＣ−Ｂよりも９０度だけ位相が遅れている。各パルスの１周期Ｔは、キャリッジ４１がリニアスケール５１１のスリットの間隔（例えば、１／１８０インチ（１インチ＝２．５４ｃｍ））を移動する時間に等しい。
【００５５】
キャリッジ４１の位置の検出は、以下のように行う。まず、パルスＥＮＣ−Ａ又はＥＮＣ−Ｂについて、立ち上がりエッジ又は立ち下りエッジを検出し、検出されたエッジの個数をカウントする。このカウント数に基づいて、キャリッジ４１の位置を演算する。カウント数は、ＣＲモータ４２が正転しているときに一つのエッジが検出されると『＋１』を加算し、ＣＲモータ４２が反転しているときに一つのエッジが検出されると『−１』を加算する。パルスＥＮＣの周期はリニアスケール５１１のスリット間隔に等しいので、カウント数にスリット間隔を乗算すれば、カウント数が『０』のときのキャリッジ４１の位置からの移動量を求めることができる。つまり、この場合におけるリニア式エンコーダ５１の解像度は、リニアスケール５１１のスリット間隔となる。また、パルスＥＮＣ−ＡとパルスＥＮＣ−Ｂの両方を用いて、キャリッジ４１の位置を検出しても良い。パルスＥＮＣ−ＡとパルスＥＮＣ−Ｂの各々の周期はリニアスケール５１１のスリット間隔に等しく、かつ、パルスＥＮＣ−ＡとパルスＥＮＣ−Ｂとは位相が９０度ずれているので、各パルスの立ち上がりエッジ及び立ち下がりエッジを検出し、検出されたエッジの個数をカウントすれば、カウント数『１』は、リニアスケール５１１のスリット間隔の１／４に対応する。よって、カウント数にスリット間隔の１／４を乗算すれば、カウント数が『０』のときのキャリッジ４１の位置から移動量を求めることができる。つまり、この場合におけるリニア式エンコーダ５１の解像度は、リニアスケール５１１のスリット間隔の１／４となる。
【００５６】
キャリッジ４１の速度Ｖｃの検出は、以下のように行う。まず、パルスＥＮＣ−Ａ又はＥＮＣ−Ｂについて、立ち上がりエッジ又は立ち下りエッジを検出する。一方、パルスのエッジ間の時間間隔をタイマカウンタによってカウントする。このカウント値から周期Ｔ（Ｔ＝Ｔ１、Ｔ２、・・・）が求められる。そして、リニアスケール５１１のスリット間隔をλとすると、キャリッジの速度は、λ／Ｔとして順次求めることができる。また、パルスＥＮＣ−ＡとパルスＥＮＣ−Ｂの両方を用いて、キャリッジ４１の速度を検出しても良い。各パルスの立ち上がりエッジと立ち下がりエッジを検出することにより、リニアスケール５１１のスリット間隔の１／４に対応するエッジ間の時間間隔をタイマカウンタによってカウントする。このカウント値から周期Ｔ（Ｔ＝Ｔ１、Ｔ２、・・・）が求められる。そして、リニアスケール５１１のスリット間隔をλとすると、キャリッジの速度Ｖｃは、Ｖｃ＝λ／（４Ｔ）として順次求めることができる。
【００５７】
なお、ロータリー式エンコーダ５２では、リニア式エンコーダ５１のリニアスケール５１１がＰＦモータ１５の回転に応じて回転する回転円板となる点が異なるだけで、他の構成はリニア式エンコーダ５１とほぼ同様である。
【００５８】
＝＝＝カートリッジとフレーム（着脱部）の構成＝＝＝
前述した各色のカートリッジ７０の基本的な構成は、共通している。そこで、図６及び図７を参照して、黒色インクのカートリッジ７０Ｂの構造及びこのカートリッジ７０Ｂを装着するフレーム８０Ｂ（着脱部）の構造を説明する。
【００５９】
図６Ａは、黒色インクのカートリッジ７０Ｂの構造を示す概略図である。図６Ｂは、カートリッジ７０Ｂを着脱可能なフレーム８０Ｂの概略図である。また、図７は、カートリッジ７０Ｂの内部構造と、キャリッジに設けられたフレーム８０Ｂの内部構造と、フレーム８０Ｂにカートリッジ７０Ｂを装着したときの様子とを示す断面図である。
【００６０】
図６Ａ及び図７において、カートリッジ７０Ｂは、本体７１Ｂと、記憶ユニット９０Ｂとを有する。本体７１Ｂは、内部に黒色インクを収容するインク収容部７２Ｂとインク供給口７３Ｂとを備え、合成樹脂によって成形されている。記憶ユニット９０Ｂは、カートリッジ７０Ｂの上面に設けられている。記憶ユニット９０Ｂをカートリッジ７０Ｂの上面に設ける理由は、後に明らかになる。また、記憶ユニット９０Ｂの構成については、後述する。
【００６１】
図６Ｂ及び図７において、フレーム８０Ｂは、保持部８１Ｂと、底部８２Ｂと、針８３Ｂと、凹部８４Ｂと、ガイド８５Ｂとを有する。保持部８１Ｂは、カートリッジ７０Ｂを側面から保持する部分であり、カートリッジ７０Ｂを装着するための空間を形成する。底部８２Ｂは、カートリッジ７０Ｂを下側から支持する部分である。針８３Ｂは、カートリッジ７０Ｂのインク供給口７３Ｂに突き刺さるためのものであり、針８３Ｂがインク供給口７３Ｂに刺さることによってインクの供給が可能となる。凹部８４Ｂは、カートリッジ７０Ｂのインク供給口７３Ｂを受け入れるためのものである。ガイド８５Ｂは、カートリッジ７０Ｂのインク供給口７３Ｂを凹部に案内するためのものであり、凹部８４Ｂの内壁に設けられている。
【００６２】
他の色のカートリッジ７０やそのカートリッジ７０のフレーム８０は、上述した黒色インクのカートリッジ７０Ｂやフレーム８０Ｂの構成とほぼ同様であるので、説明は省略する。
【００６３】
＝＝＝記憶ユニットの構成＝＝＝
次に、図８を参照して、カートリッジ（インク収容体）に設けられた素子である記憶ユニット９０の構成について、データの送受信構成を含めて説明する。図８Ａは、記憶ユニット９０の構成を示す平面透視図である。図８Ｂは、記憶ユニット９０及び送受信部９５の内部構成を説明するためのブロック図である。
【００６４】
記憶ユニット９０は、ＩＣチップ９１と、コンデンサ９２と、アンテナ９３と、皮膜９４とを有する。ＩＣチップ９１の構成については、後述する。コンデンサ９２は、金属皮膜をエッチングして形成された共振用コンデンサである。アンテナ９３は、平面状のコイルによって構成される。皮膜９４は、ＩＣチップ９１とコンデンサ９２とアンテナ９３とを被覆するものであり、絶縁性のプラスチックフィルムによって構成される。
【００６５】
ＩＣチップ９１は、整流器９１１と、信号解析部ＲＦ（Ｒａｄｉｏ  Ｆｒｅｑｕｅｎｃｙ）９１３と、制御部９１５と、メモリセル９１７を有している。整流器は、アンテナ９３が捕らえた高周波磁界を整流し、ＩＣチップ内の各回路を駆動する直流電力源となる。メモリセル９１７は、ＮＡＮＤ型フラッシュＲＯＭなど電気的に読み書き可能な不揮発性のメモリであり、書き込まれた情報を記憶すること、及び、記憶した情報を外部から読み出すことが可能なものである。そして、メモリセル９１７は、カートリッジ７０に関する情報を記憶している。
【００６６】
例えば、メモリセル９１７は、カートリッジに固有の情報（例えば、カートリッジ７０のシリアル番号などのＩＤ情報）を記憶している。プリンタ本体がカートリッジに固有の情報を読み出せば、プリンタ本体が個々のカートリッジを識別することが可能になる。
【００６７】
また、例えば、メモリセル９１７は、カートリッジ７０が収容しているインクに関する情報（例えば、インクの量（例えば、インクの使用量又は残量）に関する情報）を記憶している。プリンタ本体がカートリッジ７０のインクの使用量情報又は残量情報を読み出せば、インクの残量が僅かになったときに、プリンタ本体がユーザーに対して警告を出すことが可能になる。
【００６８】
また、例えば、メモリセル９１７は、上記以外の情報として、カートリッジ７０の色に関するデータ、カートリッジ７０の製造情報に関するデータ、カートリッジ７０の有効期限に関するデータ、又は、プリンタ本体がカートリッジ７０を用いて印刷するときに用いる色補正に関するデータ等を記憶しても良い。プリンタ本体がこれらの情報を読み出せば、プリンタ本体がこの情報を利用して印刷動作を制御することが可能になる。
【００６９】
送受信部９５は、アンテナ９６と送受信回路９７とを有する。アンテナ９６は、記憶ユニット９０のアンテナ９６と同様に、絶縁性のプラスチックフィルム（不図示）で被覆されている。送受信回路９７は、高周波信号を発生し、アンテナ９６を介して高周波磁界を誘起し、記憶ユニット９０に対して無線で通信する。送受信回路９７は、制御ユニット６０と接続されており、制御ユニット６０によって制御される。
【００７０】
本実施形態では、プリンタ本体側の制御ユニットとカートリッジに設けられた記憶ユニットとの通信を無線で行っているので、非接触で通信が可能になる。したがって、接触式のコネクタを用いた場合と比較して、耐久性が向上し、取り扱いも簡単になる。
【００７１】
＝＝＝パッケージの中身＝＝＝
図９Ａは、パッケージの開封前の外観図であり、図９Ｂは、パッケージを開封したときの外観図である。  
パッケージ２００は、紙２１０と、メモリカード１１０と、包装手段２２０とを有する。このパッケージ２００は、プリンタ本体とは別に、量販店において販売されている。  
紙２１０は、例えば、普通紙、光沢紙、写真紙やＯＨＰ用紙等である。それぞれの紙の属性によって、大きさ、厚さや印刷のための色補正等が異なっている。  
メモリカード１１０は、記憶素子等を有する記憶媒体である。メモリカードの構成については、後述する。
【００７２】
メモリカード１１０は、同封されている紙２１０に関する情報（以下、紙情報という）を記憶している。紙情報には、例えば、紙を識別するための情報（例えば、製品番号などの識別子）、紙の種類（普通紙、光沢紙、写真紙など）、紙の大きさ、紙の厚さ、又は、印刷のための色補正に関する情報等が含まれる。また、紙情報には、例えば、紙の製造時期に関する情報も含まれる。メモリカード１１０に記憶された紙情報は、無線によって読み出される。
【００７３】
包装手段２２０は、紙２１０とメモリカード１１０を包装するためのものである。包装手段２２０には、例えば、包装紙や箱などが含まれる。包装手段２２０を開くと、紙２１０やメモリカード１１０を取り出すことができる。なお、包装手段２２０は、例えば包装手段に設けられた切欠部を利用して切り裂いて開くことができるし、他の方法によって開いても良い。
【００７４】
本実施形態では、包装手段２２０を開いた後、紙２１０は、給紙挿入口１１Ａに挿入される。そして、紙２１０は、所定の印刷条件に基づいて、印刷される。  
また、本実施形態では、包装手段２２０を開いたとき、メモリカード１１０は、紙２１０と独立して、包装手段２２０から取り出すことができる。そして、メモリカード１１０の情報を取り出せば、同封されている紙２１０を調べることなく、紙情報を入手することができる。このメモリカードの使用方法は、後述する。
【００７５】
＝＝＝メモリカードの構成＝＝＝
次に、図１０Ａ及び図１０Ｂを参照して、メモリカード１１０の構成について、データの送受信構成を含めて説明する。図１０Ａは、メモリカード１１０の構成を示す平面透視図である。図１０Ｂは、メモリカード１１０及び送受信部９５の内部構成を説明するためのブロック図である。
【００７６】
メモリカード１１０は、ＩＣチップ１１１と、コンデンサ１１２と、アンテナ１１３と、皮膜１１４とを有する。ＩＣチップ１１１の構成については、後述する。コンデンサ１１２は、金属皮膜をエッチングして形成された共振用コンデンサである。アンテナ１１３は、平面状のコイルによって構成される。皮膜１１４は、ＩＣチップ１１１とコンデンサ１１２とアンテナ１１３とを被覆するものであり、絶縁性のプラスチックフィルムによって構成される。
【００７７】
ＩＣチップ１１１は、整流器１１１１と、信号解析部ＲＦ（Ｒａｄｉｏ  Ｆｒｅｑｕｅｎｃｙ）１１１３と、制御部１１１５と、メモリセル１１１７を有している。整流器は、アンテナ１１３が捕らえた高周波磁界を整流し、ＩＣチップ内の各回路を駆動する直流電力源となる。メモリセル１１１７は、ＮＡＮＤ型フラッシュＲＯＭなど電気的に読み書き可能な不揮発性のメモリであり、書き込まれた情報を記憶すること、及び、記憶した情報を外部から読み出すことが可能なものである。そして、メモリセル１１１７は、紙に関する情報を記憶している。
【００７８】
送受信部９５は、アンテナ９６と送受信回路９７とを有する。アンテナ９６は、メモリカードと通信を行うための通信手段として機能する。アンテナ９６は、メモリカードのアンテナ１１３と同様に、絶縁性のプラスチックフィルム（不図示）で被覆されている。送受信回路９７は、高周波信号を発生し、アンテナ９６を介して高周波磁界を誘起し、メモリカード１１０に対して無線で通信する。送受信回路９７は、制御ユニット６０と接続されており、制御ユニット６０によって制御される。
【００７９】
本実施形態では、プリンタ本体側に設けられたアンテナ９６とメモリカード１１０との通信を無線で行っているので、非接触で通信が可能になる。したがって、接触式のコネクタを用いた場合と比較して、耐久性が向上し、取り扱いも簡単になる。
【００８０】
＝＝＝カードスロット＝＝＝
図１１は、本実施形態のプリンタの外観の概略図である。同図において、既に説明した構成要素については、同じ符号を付しているので、説明を省略する。
【００８１】
プリンタ１は、前述した構成要素のほか、筐体３、上蓋５、操作部７及びスロット１００を有する。筐体は、前述の構成要素（例えば、紙搬送ユニット１０、インク吐出ユニット２０、クリーニングユニット３０、キャリッジユニット４０、計測器群５０、制御ユニット６０等）を中に収めるための箱である。上蓋５は、筐体３に設けられた回転軸（不図示）を中心に開閉方向に回転可能な蓋である。上蓋５を開くと、筐体３の中に収められた例えば紙搬送ユニット１０やキャリッジユニット４０が見える。上蓋５は、例えばカートリッジ７０交換時等に、開閉される。操作部７は、筐体３に設けられており、ボタン７Ａとランプ７Ｂとを有する。ユーザーは、ボタン７Ａを操作することによって、プリンタ１の印刷条件（印刷モード等）の設定を行うことができる。また、ランプ７Ｂの点滅により、プリンタ１の動作確認等を行うことができる。
【００８２】
スロット１００は、外部の記憶媒体であるメモリカード１１０を着脱可能な着脱部を構成するものである。スロット１００は、中空部を備えたカード差込口を有し、上蓋５に設けられている。そして、スロット１００にメモリカード１１０が挿入されると、スロット１００の内壁によってメモリカード１１０の位置が規制される。なお、スロット１００にメモリ１１０が挿入されたとき、ランプ７Ｂが点滅しても良く、ランプ７Ｂの色が変化するようにしても良い。さらに、スロット１００に挿入されたメモリ１１０が正しく挿入されていないとき、ランプ７Ｂの変化によって、ユーザーにその旨を報知しても良い。
【００８３】
図１０は、本実施形態のプリンタのスロット１００とアンテナ９６の位置関係を示す説明図である。同図において、既に説明した構成要素については、同じ符号を付しているので、説明を省略する。
【００８４】
アンテナ９６は、平面状のアンテナであり、アンテナの一方の面は記憶ユニット９０に対向し、他方の面はスロット１００に挿入されたメモリカード１１０に対向する。そして、本実施形態によれば、平面状のアンテナが両面に磁界を発生させる性質を利用することにより、スロット内のメモリカードとカートリッジの記憶ユニットとの両方に対して、無線で通信可能である。つまり、本実施形態によれば、スロットに挿入されたメモリカードに無線で通信を行うアンテナと、カートリッジに設けられた記憶ユニットに無線で通信を行うアンテナとを、同じアンテナで兼用させることができる。これにより、安価で省スペースなプリンタを提供することができる。
【００８５】
また、アンテナ９６は、上蓋５の内側に設けられている。つまり、アンテナ９６は、上蓋５が閉じた状態のとき、プリンタ内において、カートリッジ７０の上面に設けられた記憶ユニット９０と対向することができる。本実施形態のアンテナ９６は上蓋５に設けられているので、カートリッジを交換する際に、カートリッジの記憶ユニット９０とアンテナ９６とが対向しない状態になるので、カートリッジ７０の交換を容易にすることができる。
【００８６】
スロット１００は、図１１において説明した通り、上蓋５に設けられている。そして、アンテナ９６が上蓋５に設けられた位置は、スロット１００が設けられた位置の反対側である。アンテナ９６がスロット１００の裏側に設けられているため、アンテナ９６の近くにメモリカード１１０が設置されるので、メモリカードに対する無線通信の信頼性が向上する。
【００８７】
スロット１００にメモリカード１１０が挿入されると、メモリカード１１０はアンテナ９６（図１１では不図示）に対して平行になる。記憶ユニット９０と同様な構成の記憶素子がメモリカード１１０に設けられているので、スロット１００に挿入されたメモリカード１１０のアンテナとアンテナ９６とが平行になり、無線による通信が良好な状態になる。
【００８８】
なお、アンテナ９６が前述のクリーニングユニット３０の上方に設けられていれば、図１４のキャリッジ４１の下にクリーニングユニット３０が位置するので、ヘッドのノズルの目詰まりの防止動作中に、アンテナ９６が記憶ユニット９０に通信可能である。
【００８９】
また、アンテナ９６が印刷領域の上方に設けられていれば、図１４のキャリッジ４１の下に被印刷体があるので、印刷動作中に、アンテナ９６が記憶ユニット９０に通信可能である。したがって、このような場合、アンテナ９６は、印刷動作中に、リアルタイムのインクの量（使用量や残量）に関する情報を記憶ユニット９０に書き込むことができる。
【００９０】
ところで、アンテナ９６は、信号が上蓋５を通過して、スロット１００に挿入されたメモリカード１１０の記憶素子に無線で通信することになる。したがって、上蓋５の材質は、非磁性体であることが望ましく、プラスチックであることが好ましい。上蓋５の材質をこのようにすることにより、メモリカード１１０に対する通信の信頼性を向上させることができる。
【００９１】
同様に、スロット１００の材質は、非磁性体であることが望ましく、プラスチックであることが好ましい。スロット１００の材質をこのようにすることにより、メモリカード１１０に対する通信の信頼性を向上させることができる。
【００９２】
＝＝＝通信動作＝＝＝
図１３及び図１４を用いて、通信動作について説明する。なお、図１３は、アンテナ９６が記憶ユニット９０に通信できない状態を示す説明図である。また、図１４は、アンテナ９６が記憶ユニット９０に通信可能な状態を示す説明図である。なお、同図において、既に説明した構成要素については、同じ符号を付しているので、説明を省略する。
【００９３】
図１３では、記憶ユニット９０がアンテナ９６から遠ざかった位置になるように、キャリッジ４１が位置している。この状態のときにアンテナ９６が無線で通信するための磁界を発生させても、アンテナ９６は、メモリカード１１０に対して通信可能であるだけで、カートリッジ７０の記憶ユニット９０に対しては通信できない。
【００９４】
一方、図１４では、アンテナ９６の下側で記憶ユニット９０が対面するように、キャリッジ４１が位置決めされている。つまり、この状態では、アンテナ９６が、記憶ユニット９０とスロット１００（すなわちメモリカード１１０）との間に位置している。この状態のときに、アンテナ９６が無線で通信するために磁界を発生させると、記憶ユニット９０とメモリカード１１０の両方同時に通信が可能である。
【００９５】
図１４の状態において、アンテナ９６が記憶ユニット９０に通信しようとした場合、メモリカード１１０側にも磁界が発生するため、信号の衝突が問題となる。そこで、このような状態で通信を行うときは、通信する信号の中に識別子（例えばＩＤ情報）を含ませて、信号の衝突を回避する。なお、通信する信号の中に識別子を含ませれば、アンテナ９６が複数の記憶ユニット９０に通信可能な状態であっても、任意の記憶ユニット９０に通信することができる。
【００９６】
ところで、本実施形態のアンテナは、複数の記憶ユニット９０に対向することが可能である。そのため、アンテナ９６を大きくすることができるので、送受信する信号を大きくすることができ、通信の信頼性を向上させることができる。また、１つのアンテナで複数の記憶ユニット９０に対向できるので、アンテナ数を少なくでき、製造コストを軽減できる。
【００９７】
＝＝＝メモリカードの活用方法＝＝＝
図１５は、メモリカード１１０の活用方法の一例を説明するためのフロー図である。  
まず、ユーザーが、パッケージの包装手段から取り出したメモリカード１１０をスロット１００に挿入する（Ｓ１０１）。なお、このメモリカード１１０は、ユーザーが購入した紙と同梱されていて、パッケージ２００の包装手段２２０から取り出されたものである。そして、メモリカード１１０は、同梱されている紙に関する情報（以下、紙情報という）を記憶している。紙情報には、例えば、紙を識別するための情報（例えば、製品番号などの識別子）、紙の種類（普通紙、光沢紙、写真紙など）、紙の大きさ、紙の厚さ、又は、印刷のための色補正、又は製造時期に関する情報などが含まれる。なお、パッケージの包装手段から取り出された紙は、プリンタの挿入口１１Ａに挿入されている。
【００９８】
次に、アンテナ９６が、メモリカード１１０に記憶されている紙情報を読み出す（Ｓ１０２）。アンテナ９６が紙情報を読み出すタイミングは、プリンタ１がスロット１００にメモリカード１１０が挿入されたことを検知したときでも良いし、定期的にアンテナがメモリカード１１０に対して通信を行っても良い。  
アンテナ９６が紙情報を読み出せば、その紙情報は、制御ユニット６０に送られる（Ｓ１０３）。そして、この紙情報は、制御ユニット６０内のメモリ６５に記憶される。
【００９９】
次に、制御ユニット６０は、紙情報に基づいて、印刷条件を決定する（Ｓ１０４）。例えば、紙の種類（普通紙、光沢紙、写真紙など）に関する情報に基づいて、各色のインク吐出量等の条件が決定される。また、紙の大きさに関する情報に基づいて、キャリッジ４１の移動に関わるＣＲモータ４２の制御条件や、ＰＦモータ１５の制御条件等が決定される。また、紙の厚さに関する情報に基づいて、インクの吐出のタイミングや、ＰＦモータ１５の制御条件等が決定される。また、印刷のための色補正に関する情報に基づいて、各色のインク吐出量等の条件が決定される。また、紙の製造時期に基づいて、紙の劣化を考慮して、各色のインクの吐出量等の条件が決定される。
【０１００】
次に、制御ユニット６０は、決定した印刷条件に基づいて、ドライバの設定を行う（Ｓ１０５）。例えば、各色のインク吐出量の条件に基づいて、ヘッドドライバ２２の設定が行われる。また、ＣＲモータ４２の制御条件に基づいて、ＣＲモータドライバ４３の設定が行われる。また、ＰＦモータ１５の制御条件に基づいて、ＰＦモータドライバ１６の設定が行われる。また、インクの吐出のタイミングに基づいて、ヘッドドライバ２２の設定が行われる。なお、ドライバの設定は、決定した印刷条件に基づいて行うのではなく、紙情報に基づいて行っても良い（つまり、Ｓ１０４を省略しても良い）。
【０１０１】
そして、制御ユニット６０は、上記のように設定されたドライバに基づいて、印刷を行う（Ｓ１０６）。なお、印刷が行われる紙は、スロット１００に挿入されたメモリカード１１０と一緒に同梱された紙である。そして、この紙に適切な設定が行われたプリンタで印刷を行うので、高精度な印刷を行うことができる。
【０１０２】
本実施形態では、ユーザーは印刷する紙に同梱されたメモリカード１１０をスロット１００に挿入するだけで、プリンタのドライバの設定がなされる。したがって、本実施形態によれば、ユーザーは複雑なドライバの設定を手作業で行う必要がなく、プリンタの操作を容易なものにすることができる。  
また、本実施形態では、メモリカードをスロットに挿入するだけでプリンタ自身の設定が行われるので、プリンタを接続しているコンピュータ本体のプリンタドライバの設定を変更しないでも良い。
【０１０３】
＝＝＝印刷システム等の構成＝＝＝
次に、本発明に係る実施形態の一例である印刷システム（コンピュータシステム）、コンピュータプログラム、及び、コンピュータプログラムを記録した記録媒体の実施形態について、図面を参照しながら説明する。
【０１０４】
図１６は、コンピュータシステムの外観構成を示した説明図である。コンピュータシステム１０００は、コンピュータ本体１１０２と、表示装置１１０４と、プリンタ１１０６と、入力装置１１０８と、読取装置１１１０とを備えている。コンピュータ本体１１０２は、本実施形態ではミニタワー型の筐体に収納されているが、これに限られるものではない。表示装置１１０４は、ＣＲＴ（Cathode Ray Tube：陰極線管）やプラズマディスプレイや液晶表示装置等が用いられるのが一般的であるが、これに限られるものではない。プリンタ１１０６は、上記に説明されたプリンタが用いられている。入力装置１１０８は、本実施形態ではキーボード１１０８Ａとマウス１１０８Ｂが用いられているが、これに限られるものではない。読取装置１１１０は、本実施形態ではフレキシブルディスクドライブ装置１１１０ＡとＣＤ−ＲＯＭドライブ装置１１１０Ｂが用いられているが、これに限られるものではなく、例えばＭＯ（Magnet Optical）ディスクドライブ装置やＤＶＤ（Digital Versatile Disk）等の他のものであっても良い。
【０１０５】
図１７は、図１６に示したコンピュータシステムの構成を示すブロック図である。コンピュータ本体１１０２が収納された筐体内にＲＡＭ等の内部メモリ１２０２と、ハードディスクドライブユニット１２０４等の外部メモリがさらに設けられている。
【０１０６】
なお、以上の説明においては、プリンタ１１０６が、コンピュータ本体１１０２、表示装置１１０４、入力装置１１０８、及び、読取装置１１１０と接続されてコンピュータシステムを構成した例について説明したが、これに限られるものではない。例えば、コンピュータシステムが、コンピュータ本体１１０２とプリンタ１１０６から構成されても良く、コンピュータシステムが表示装置１１０４、入力装置１１０８及び読取装置１１１０のいずれかを備えていなくても良い。また、例えば、プリンタ１１０６が、コンピュータ本体１１０２、表示装置１１０４、入力装置１１０８、及び、読取装置１１１０のそれぞれの機能又は機構の一部を持っていても良い。一例として、プリンタ１１０６が、画像処理を行う画像処理部、各種の表示を行う表示部、及び、デジタルカメラ等により撮影された画像データを記録した記録メディアを着脱するための記録メディア着脱部等を有する構成としても良い。
【０１０７】
また、上述した実施形態において、プリンタを制御するコンピュータプログラムが、制御ユニット６０のメモリ６５に取り込まれていても良い。そして、制御ユニット６０が、このコンピュータプログラムを実行することにより、上述した実施形態におけるプリンタの動作を達成しても良い。
【０１０８】
このようにして実現されたコンピュータシステムは、システム全体として従来システムよりも優れたシステムとなる。
【０１０９】
＝＝＝第１実施形態の変形例＝＝＝
以上、第１実施形態に基づき、本発明に係るプリンタ等を説明したが、上記の実施形態は、本発明の理解を容易にするためのものであり、本発明を限定して解釈するためのものではない。本発明は、その趣旨を逸脱することなく、変更、改良され得ると共に、本発明にはその等価物が含まれることは言うまでもない。特に、以下に述べる実施形態であっても、本発明に係る印刷装置に含まれるものである。
【０１１０】
＜パッケージについて＞
前述の実施形態によれば、包装手段の中は、紙とメモリカードだけであった。しかし、包装手段の中は、これに限られるものではない。例えば、包装手段の中に、他の構成要素が含まれていても良い。
【０１１１】
＜スロットの構成について１＞
前述の実施形態によれば、メモリカードを挿入できるスロットを上蓋に設けていた。しかし、メモリカードを着脱するための構成は、スロットに限られるものではない。  
図１８は、別の実施形態のプリンタの外観の概略図である。同図において、前述の実施形態と同じ構成要素には同じ符号を付しているので、説明を省略する。本実施形態のプリンタは、前述の実施形態のスロットの代わりに、メモリカード１１０の着脱部として規制手段１００'を備えている。
【０１１２】
規制手段１００'は、突起を有している。この突起がメモリカード１１０の縁の位置を規制することにより、メモリカード１１０の設置位置が規制される。これにより、メモリカード１１０を着脱するたびにメモリカード１１０の位置が異なることがないように、メモリカード１１０の位置の安定化や再現性を高めている。その結果、メモリカードをプリンタ１上に設置したときに、メモリカード１１０がアンテナ（不図示）の裏側に位置するようにでき、アンテナがメモリカード１１０に対して無線で通信可能になる。
【０１１３】
すなわち、メモリカードの着脱部は、スロット１００や規制手段１００'のように、アンテナがメモリカード１１０に対して無線で通信可能な位置にメモリカードを位置させる機能を有していれば、他の手段でも良いのである。また、メモリカードの着脱部は、アンテナ９６の裏側にメモリカード１１０を位置させる機能を有していると望ましい。
【０１１４】
＜スロットの構成について２＞
前述の実施形態によれば、メモリカードを挿入できるスロットは、単にカード差込口を有する中空体であった。しかし、スロットの構成は、これに限られるものではない。  
例えば、デジタルカメラ等により撮影した画像データを記憶する記憶メディアを挿入するためのスロットと兼用させても良い。つまり、他の記憶メディアを挿入するためのスロット（上述の記録メディア着脱部）にメモリカード１１０を挿入したときに、アンテナ９６がメモリカード１１０に対して無線で通信可能であれば良い。  
この場合、アンテナ９６は、他の記憶メディアを挿入するためのスロット（記録メディア着脱部）の裏側に設けられることになる。
【０１１５】
＜ドライバの設定について１＞
前述の実施形態によれば、メモリカードから読み出した紙情報に基づいて、プリンタ自身の設定を行っていた。しかし、これに限られるものではない。  
例えば、アンテナがメモリカードから読み出した紙情報がプリンタを接続しているコンピュータ本体に送られ、コンピュータ本体のプリンタドライバの設定を行っても良い。  
図１９は、コンピュータ本体のプリンタドライバの設定を行う場合のフロー図である。
【０１１６】
まず、ユーザーが、スロット１００にメモリカード１１０を挿入する（Ｓ２０１）。なお、このメモリカード１１０は、ユーザーが購入したパッケージ２００の包装手段２２０から取り出したものである。そして、メモリカード１１０は、同封されている紙の紙情報を記憶している。紙情報には、例えば、紙を識別するための情報（例えば、製品番号などの識別子）、紙の種類（普通紙、光沢紙、写真紙など）、紙の大きさ、紙の厚さ、印刷のための色補正、又は製造時期に関する情報などが含まれる。
【０１１７】
次に、アンテナ９６が、メモリカード１１０に記憶されている紙情報を読み出す（Ｓ２０２）。アンテナ９６が紙情報を読み出すタイミングは、プリンタ１がスロット１００にメモリカード１１０が挿入されたことを検知したときでも良いし、定期的にアンテナがメモリカード１１０に対して通信を行っても良い。  
アンテナ９６が紙情報を読み出せば、その紙情報は、コンピュータ本体１１０２に送られる（Ｓ２０３）。そして、この紙情報は、コンピュータ本体１１０２のメモリ２２０２に記憶される。なお、コンピュータ本体１１０２は、受信した紙情報を表示装置１１０４に表示しても良い。
【０１１８】
次に、コンピュータ本体１１０２は、紙情報に基づいて、プリンタドライバを設定する（Ｓ２０４）。なお、コンピュータ本体１１０２が複数のプリンタドライバの情報を記憶している場合は、コンピュータ本体が、紙情報に基づいて、複数のプリンタドライバから適切なプリンタドライバを選択しても良い。また、プリンタドライバの設定結果を表示装置１１０４に表示しても良い。
【０１１９】
次に、コンピュータ本体は、設定したプリンタドライバに基づいて、画像情報から印刷情報を作成する（Ｓ２０５）。そして、作成された印刷情報は、プリンタに送信される。
【０１２０】
そして、制御ユニット６０は、印刷情報に基づいて、印刷を行う（Ｓ２０６）。なお、印刷が行われる紙は、スロット１００に挿入されたメモリカード１１０と一緒に同封されていた紙である。そして、この紙に適切な設定が行われたプリンタで印刷を行うので、高精度な印刷を行うことができる。
【０１２１】
本実施形態においても、ユーザーは印刷する紙に同封されたメモリカード１１０をスロット１００に挿入するだけで、プリンタドライバの設定が行われる。したがって、本実施形態においても、ユーザーは複雑なドライバの設定を手作業で行う必要がなく、プリンタの操作を容易なものにすることができる。
【０１２２】
＜メモリカードについて１＞
前述の実施形態によれば、メモリカードは紙に同梱され、紙に関する情報を記憶していた。しかしメモリカードの活用方法はこれに限られるものではない。  
例えば、メモリカード１１０には、プリンタ１の動作に関する情報（例えば制御履歴など）が書き込まれるようにしても良い。そして、ユーザーは、プリンタ１が故障したとき、プリンタの動作に関する情報を記憶したメモリカード１１０をサービスセンターに届けることにより、迅速な修理を期待することができる。  
また、アンテナが、他の情報を、メモリカードに書き込み、または、メモリカードから読み出したりしても良い。
【０１２３】
＜メモリカードについて２＞
前述の実施形態によれば、メモリカードは、無線で通信を行っていた。しかし、メモリカードに対する通信は、これに限られるものではない。  
例えば、メモリカードに対する通信が接触式であっても良い。この場合、プリンタはメモリカードに接続するための通信手段としてコネクタを有し、メモリカードはコネクタに接続されるための接点を有する。  
また、メモリカードが、メモリカードの方向を識別するための目印を有していることが望ましい。なお、この目印とは、文字や記号又は切欠部のように、視覚的又は触覚的にメモリカードの方向を識別できるものである。このようにすれば、メモリカードを正しい方向に装着することができるので、メモリカードがコネクタに正しく接続される。
【０１２４】
＜メモリカードについて３＞
前述の実施形態によれば、メモリカードは、紙の種類や大きさなどの紙情報を記憶していた。しかし、メモリカードが記憶する紙情報は、これらに限られるものではない。  
例えば、紙情報は、紙の印刷条件に関する情報であっても良い。このようにメモリカードが印刷条件に関する情報を記憶していれば、この情報に基づいて、プリンタ自身又はコンピュータ本体のプリンタドライバを、直接的に設定することができる。なお、この場合、印刷条件は特定のプリンタに対応しているので、パッケージ内の紙が、どの機種のプリンタによって印刷されるか特定されていることが望ましい。
【０１２５】
＜メモリカードについて４＞
また、メモリカードが記憶する紙情報は、他のものであっても良い。例えば、紙情報は、その紙に対する最新のドライバ情報をダウンロードできる場所の情報であっても良い。  
この場合、コンピュータ本体がプリンタからこのような紙情報（ダウンロードできる場所の情報）を受信した後、インターネット上の所定の場所から最新のドライバ情報をダウンロードし、そのダウンロードしたドライバ情報に基づいてプリンタドライバを設定する。これにより、ユーザーは、最新の情報に基づいて印刷するための設定を容易にできる。
【０１２６】
＜アンテナの大きさについて＞
前述の実施形態によれば、１つのアンテナが、複数のカートリッジに対向することができるほどの大きさであった。しかし、アンテナの大きさは、これに限られるものではない。  
例えば、アンテナが、１つのカートリッジに対向するほどの大きさであっても良い。そして、他のカートリッジの記憶ユニットに通信するときは、キャリッジを走査方向に移動させれば良い。  
本実施形態によれば、アンテナを小さくすることができるので、製造コストを軽減できる。また、アンテナを小さくすることができるので、プリンタの省スペース化を図ることができる。
【０１２７】
＜カートリッジについて＞
前述の実施形態によれば、各色に対応してインクカートリッジが設けられていた。しかし、カートリッジの構成は、これに限られるものではない。例えば、各色それぞれあった複数のカートリッジ（７０Ｃ、７０Ｍ、７０Ｙ）をカラーカートリッジとして１つにまとめても良い。
【０１２８】
＜記憶ユニットの配置について＞
前述の実施形態によれば、記憶ユニット９０は、カートリッジ７０の上面に設けられていた。しかし、記憶ユニット９０の配置は、これに限られるものではない。例えば、記憶ユニット９０は、カートリッジ７０の側面に設けられても良い。そして、カートリッジ７０の側面に対向できる位置にアンテナを設け、アンテナの裏側にスロットを設ければ良い。  
このように配置しても、前述の実施形態と同様の効果を得ることができる。
【０１２９】
＜ノズルについて＞
前述の実施形態によれば、ノズルはヘッド２１に設けられ、ヘッド２１はキャリッジ４１に設けられていたので、ノズルはキャリッジ４１と一体的に設けられていた。しかし、ノズルやヘッド２１の構成は、これに限られるものではない。例えば、ノズルやヘッドが、カートリッジと一体的に設けられ、キャリッジ４１に対して着脱可能であっても良い。  
すなわち、『インク収容体』の一例としてカートリッジを用いて上述の説明を行ったが、『インク収容体』とはインクを収容する容器であれば良く、この語句の解釈にノズルの有無が影響を与えるものではない。
【０１３０】
２．第２実施形態
次に、第２の実施形態について説明する。但し、本実施形態の「印刷装置の概要」、「記憶ユニットの構成」、「パッケージの中身」、「メモリカードの構成」、「カードスロット」、「メモリカードの活用方法」、「印刷システム等の構成」などは、前述の実施形態とほぼ同様なので、説明を省略する。
【０１３１】
＝＝＝カートリッジと着脱部（フレーム）の構成＝＝＝
前述した各色のカートリッジ７０の基本的な構成は、共通している。そこで、図２０及び図２１を参照して、黒色インクのカートリッジ７０Ｂの構造及びこのカートリッジ７０Ｂを装着する着脱部８０Ｂの構造を説明する。
【０１３２】
図２０Ａは、黒色インクのカートリッジ７０Ｂの構造を示す概略図である。図２０Ｂは、カートリッジ７０Ｂを着脱可能な着脱部８０Ｂの概略図である。また、図２１は、カートリッジ７０Ｂの内部構造と、キャリッジに設けられた着脱部８０Ｂの内部構造と、着脱部８０Ｂにカートリッジ７０Ｂを装着したときの様子とを示す断面図である。
【０１３３】
図２０Ａ及び図２１において、カートリッジ７０Ｂは、本体７１Ｂと、記憶ユニット９０Ｂとを有する。本体７１Ｂは、内部に黒色インクを収容するインク収容部７２Ｂとインク供給口７３Ｂとを備え、合成樹脂によって成形されている。記憶ユニット９０Ｂは、カートリッジ７０Ｂの上面に設けられている。記憶ユニット９０Ｂをカートリッジ７０Ｂの上面に設ける理由は、後に明らかになる。また、記憶ユニット９０Ｂの構成については、後述する。
【０１３４】
図２０Ｂ及び図２１において、装着部８０Ｂは、保持部８１Ｂと、底部８２Ｂと、針８３Ｂと、凹部８４Ｂと、ガイド８５Ｂと、固定具８６とを有する。保持部８１Ｂは、カートリッジ７０Ｂを側面から保持する部分であり、カートリッジ７０Ｂを装着するための空間を形成する。底部８２Ｂは、カートリッジ７０Ｂを下側から支持する部分である。針８３Ｂは、カートリッジ７０Ｂのインク供給口７３Ｂに突き刺さるためのものであり、針８３Ｂがインク供給口７３Ｂに刺さることによってインクの供給が可能となる。凹部８４Ｂは、カートリッジ７０Ｂのインク供給口７３Ｂを受け入れるためのものである。ガイド８５Ｂは、カートリッジ７０Ｂのインク供給口７３Ｂを凹部に案内するためのものであり、凹部８４Ｂの内壁に設けられている。
【０１３５】
図２１において、キャリッジ４１は、着脱部８０Ｂを有すると共に、蓋８７と、回転軸８８と、留め具８９と、アンテナ９６Ｂとを有する。蓋８７は、回転軸８８を介してキャリッジ４１に設けられており、回転軸を中心に回転移動できる。そして、カートリッジ７０Ｂを覆う方向に蓋８７を倒すと、留め具８９が固定具８６と結合し、カートリッジ７０Ｂが着脱部８０Ｂに固定される。なお、保持部８１Ｂと底部８２Ｂと蓋８７によって、カートリッジ７０Ｂを装着するための空間を形成する枠が構成されている。また、カートリッジ７０Ｂを覆う方向に蓋８７を倒すと、カートリッジ７０Ｂが蓋８７によって下方向に押付けられ、針８３Ｂがインク供給口７３Ｂに突き刺さる。なお、アンテナ９６Ｂが、蓋８７の内側（すなわち、キャリッジ４１の枠の内側）に配置され、記憶ユニット９０Ｂと対向するように配置されている。アンテナ９６Ｂについては、後述する。
【０１３６】
他の色のカートリッジ７０やそのカートリッジ７０の着脱部８０は、上述した黒色インクのカートリッジ７０Ｂや着脱部８０Ｂの構成とほぼ同様であるので、説明は省略する。なお、固定具８６、蓋８７、回転軸８８及び留め具８９は、各色のカートリッジにそれぞれ設けても良いし、各色のカートリッジに共有されていても良い。
【０１３７】
本実施形態では、移動するキャリッジ４１にアンテナ９６を設けているので、キャリッジ４１が移動中であっても、記憶ユニット９０に対して、情報を書き込んだり、情報を読み出したりすることができる。その結果、例えば、キャリッジが移動して被印刷体（紙など）に印刷を行っているときに、制御ユニット６０が、インクの使用量情報や残量情報をリアルタイムで記憶ユニット９０に書き込むことができる。そのため、いきなりプリンタ本体の電源が切って、カートリッジ７０を交換した場合でも、カートリッジ７０の記憶ユニット９０には、カートリッジ７０に関する正しい情報が書き込まれている。
【０１３８】
また、本実施形態では、上述の通り、記憶ユニット９０のアンテナ９３がカートリッジ７０の上面に設けられ、送受信部９５のアンテナ９６がキャリッジ４１の蓋８７に設けられている。そして、カートリッジ７０をキャリッジに固定するため蓋８７がカートリッジ７０を覆うように閉じられると、アンテナ９３の皮膜９４とアンテナ９６の皮膜（不図示）とが接触し、アンテナ９６が皮膜を介して記憶ユニット９０を押付ける。その結果、アンテナ９３とアンテナ９６との間の距離が小さくなるので、弱い電波でも通信可能な状態となる。つまり、このように構成することにより、省電力なプリンタを提供することが可能になる。
【０１３９】
＝＝＝アンテナの配置＝＝＝
図２２は、アンテナ９６と記憶ユニット９０との位置関係の説明図である。また、図２３は、図２２のようにアンテナを配置した場合の送受信部の説明図である。同図において、同じ構成要素に付いては同じ符号を付しているので、説明は省略する。
【０１４０】
本実施形態では、複数のアンテナ９６が、キャリッジ４１の蓋８７の内側に設けられている。そして、それぞれのアンテナ９６Ｂ、９６Ｃ、９６Ｍ、９６Ｙは、各色のカートリッジにそれぞれ設けられた記憶ユニット９０Ｂ、９０Ｃ、９０Ｍ、９０Ｙに対向して設けられている。  
本実施形態では、複数のアンテナ９６がキャリッジ４１の蓋８７の内側に設けられているため、各アンテナの大きさが小さくなるので、送受信する信号が弱くなるが、上述した通りアンテナ９３とアンテナ９６との間の距離が小さいので、通信が可能になるという特有の効果を有する。  
なお、送受信回路９７は、図２３に示す通り、各アンテナ９６に共用であって良い。ただし、送受信回路９７を各アンテナ９６に対してそれぞれ設けても良い。
【０１４１】
＝＝＝通信動作＝＝＝
図２４及び図２５を用いて、通信動作について説明する。なお、図２４は、アンテナ９６Ｂ〜９６Ｙがメモリカード１１０に通信できない状態を示す説明図である。また、図２５は、アンテナ９６がメモリカード１１０に通信可能な状態を示す説明図である。なお、同図において、既に説明した構成要素については、同じ符号を付しているので、説明を省略する。なお、メモリカード１１０は、スロット１００に挿入されることによって、アンテナ９６Ｂ〜９６Ｙと平行になる。また、アンテナ９６Ｂ〜９６Ｙは、キャリッジ４１の蓋に設けられているため、キャリッジ４１とともに走査方向に移動可能である。
【０１４２】
図２４では、アンテナ９６Ｂ〜９６Ｙがメモリカード１１０から遠ざかった位置になるように、キャリッジ４１が位置している。この状態のときにアンテナ９６Ｂ〜９６Ｙが無線で通信するための磁界を発生させても、アンテナ９６Ｂ〜９６Ｙは、記憶ユニット９０Ｂ〜９０Ｙに対して通信可能であるだけで、メモリカード１１０に対しては通信できない。
【０１４３】
一方、図２５では、アンテナ９６Ｂ〜９６Ｙの上側でメモリカードが対面するように、キャリッジ４１が位置決めされている。つまり、この状態では、アンテナ９６が、記憶ユニット９０とスロット１００（すなわちメモリカード１１０）との間に位置している。この状態のときに、アンテナ９６が無線で通信するために磁界を発生させると、記憶ユニット９０とメモリカード１１０の両方同時に通信が可能である。
【０１４４】
図２５の状態において、アンテナ９６が記憶ユニット９０に通信しようとした場合、メモリカード１１０側にも磁界が発生するため、信号の衝突が問題となる。そこで、このような状態で通信を行うときは、通信する信号の中に識別子（例えばＩＤ情報）を含ませて、信号の衝突を回避する。
【０１４５】
ところで、本実施形態のアンテナは、１つのアンテナで記憶ユニット９０とメモリカード１１０の両方に対向できるので、アンテナ数を少なくでき、製造コストを軽減できる。
【０１４６】
＝＝＝第２実施形態の変形例＝＝＝
以上、第２実施形態に基づき、本発明に係るプリンタ等を説明したが、上記の実施形態は、本発明の理解を容易にするためのものであり、本発明を限定して解釈するためのものではない。本発明は、その趣旨を逸脱することなく、変更、改良され得ると共に、本発明にはその等価物が含まれることは言うまでもない。特に、以下に述べる実施形態であっても、本発明に係る印刷装置に含まれるものである。
【０１４７】
＜アンテナの配置について＞
前述の実施形態によれば、複数のアンテナが、各色のカートリッジに対向して設けられていた。しかし、アンテナの配置は、これに限られるものではない。
【０１４８】
図２６は、他の実施形態のアンテナ９６と記憶ユニット９０との位置関係の説明図である。また、図２７は、図２６のようにアンテナを配置した場合の送受信部の説明図である。同図において、同じ構成要素については同じ符号を付しているので、説明は省略する。なお、本実施形態のアンテナ９６は、前述の実施形態のアンテナと比較すると、複数の記憶ユニットに対して無線で通信可能である点で異なる。  
本実施形態によれば、アンテナ９６を大きくすることができるので、送受信する信号を大きくすることができ、通信の信頼性を向上させることができる。また、アンテナ数を少なくできるので、製造コストを軽減できる。  
なお、本実施形態のように複数の記憶ユニット９０に対してアンテナ９６を共有させると信号の衝突が問題となる。そこで、本実施形態の構成を採用するときは、アンテナ９６が任意の記憶ユニット９０に対して通信を行えるようにするため、通信する信号の中にＩＤ情報を含ませて、信号の衝突が回避できるようにしている。
【０１４９】
＜カートリッジについて＞
前述の実施形態によれば、各色に対応してインクカートリッジが設けられていた。しかし、カートリッジの構成は、これに限られるものではない。
【０１５０】
図２８は、他の実施形態のアンテナ９６と記憶ユニット９０との位置関係の説明図である。同図において、同じ構成要素に付いては同じ符号を付しているので、説明は省略する。なお、本実施形態は、前述の実施形態と比較すると、各色それぞれあった複数のカートリッジ（７０Ｃ、７０Ｍ、７０Ｙ）がカラーカートリッジ７０Ｐとして１つにまとめられている。  
カラーカートリッジ７０Ｐは、内部に複数のインク収容部を有しており、複数の色のインクを収容している。そして、カラーカートリッジ７０Ｐの上面には、１つの記憶ユニット９０Ｐが設けられている。記憶ユニット９０Ｐが有するメモリセルには、各色のインクに関する情報が記憶されている。
【０１５１】
本実施形態によれば、記憶ユニット９０Ｐのアンテナ９３を大きくすることができるので、送受信する信号を大きくすることができ、通信の信頼性を向上させることができる。
【０１５２】
＜記憶ユニットの配置について＞
前述の実施形態によれば、記憶ユニット９０は、カートリッジ７０の上面に設けられていた。しかし、記憶ユニット９０の配置は、これに限られるものではない。
【０１５３】
図２９は、記憶ユニット９０の配置とアンテナ９６の配置に関する他の実施形態の説明図である。同図において、同じ構成要素に付いては同じ符号を付しているので、説明は省略する。なお、本実施形態は、前述の実施形態と比較すると、記憶ユニット９０がカートリッジの側面に設けられている点で異なる。  
同図において、９０'は、黒色のカートリッジ７０Ｂの側面に設けられた記憶ユニットである。また、９６'は、キャリッジ４１の着脱部の内壁に設けられたアンテナである。
【０１５４】
本実施形態においても、記憶ユニット９０'とアンテナ９６とを対向して設けることができる。また、同図では、記憶ユニット９０'とアンテナ９６'が離れて描かれているが、前述の実施形態と同様に、カートリッジを装着したときに、記憶ユニット９０'の皮膜とアンテナ９６'の皮膜とが互いに接触した状態になっても良い。  
このように配置しても、前述の実施形態と同様の効果を得ることができる。
【０１５５】
＜ノズルについて＞
前述の実施形態によれば、ノズルはヘッド２１に設けられ、ヘッド２１はキャリッジ４１に設けられていたので、ノズルはキャリッジ４１と一体的に設けられていた。しかし、ノズルやヘッド２１の構成は、これに限られるものではない。例えば、ノズルやヘッドが、カートリッジと一体的に設けられ、キャリッジ４１に対して着脱可能であっても良い。
【０１５６】
＜インクについて＞
前述の実施形態によれば、カートリッジが、インクを収容するインク収容体であった。しかし、カートリッジは、これに限られるものではない。例えば、カートリッジが、トナーを収容するトナー収容体であっても良い。また、この場合、トナー収容体であるカートリッジが、現像ローラを備えていても良い。  
なお、この場合、印刷装置は複数のカートリッジを着脱可能なロータリーを備えているのが通常なので、このロータリーにアンテナを設けることになる。そして、ロータリーに設けられたアンテナが、カートリッジに設けられた記憶ユニットと無線で通信を行う。
【０１５７】
第１実施形態によれば、インク収容体（例えばカートリッジ）に設けられた素子（例えばメモリを有する記憶ユニット）に対して無線で通信可能なアンテナを有する印刷装置であって、このアンテナを有効に利用する可能となる。  
第２実施形態によれば、弱い電波でも通信可能な状態として、省電力なプリンタを提供することが可能となる。
【図面の簡単な説明】
【０１５８】
【図１】図１は、本実施形態のインクジェットプリンタの全体構成の説明図である。
【図２】図２は、本実施形態のインクジェットプリンタのキャリッジ周辺の概略図である。
【図３】図３は、本実施形態のインクジェットプリンタの搬送ユニット周辺の説明図である。
【図４】図４は、リニア式エンコーダの構成の説明図である。
【図５】図５ＡはＣＲモータが正転しているときの出力信号の波形のタイミングチャートである。図５ＢはＣＲモータが反転しているときの出力信号の波形のタイミングチャートである。
【図６】図６Ａはカートリッジの構造を示す概略図である。図６Ｂはフレームの概略図である。
【図７】図７は、カートリッジの内部構造、フレームの内部構造、及び、フレームにカートリッジを装着したときの様子を示す断面図である。
【図８】図８Ａは記憶ユニットの構成を示す平面透視図である。図８Ｂは記憶ユニット及び送受信部の内部構成を説明するためのブロック図である。
【図９】図９Ａは、パッケージの開封前の外観図である。図９Ｂは、パッケージを開封したときの外観図である。
【図１０】図１０Ａはメモリカードの構成を示す平面透視図である。図１０Ｂはメモリカード及び送受信部の内部構成を説明するためのブロック図である。
【図１１】図１１は、本実施形態のプリンタの外観の概略図である。
【図１２】図１２は、本実施形態のプリンタのスロットとアンテナの位置関係を示す説明図である。
【図１３】図１３は、本実施形態の通信動作の説明図であり、アンテナが記憶ユニットに通信できない状態を示す説明図である。
【図１４】図１４は、本実施形態の通信動作の説明図であり、アンテナが記憶ユニットに通信可能な状態を示す説明図である。
【図１５】図１５は、本実施形態のメモリカードの活用方法の一例を説明するためのフロー図である。
【図１６】図１６は、コンピュータシステムの外観構成を示した説明図である。
【図１７】図１７は、コンピュータシステムの構成を示すブロック図である。
【図１８】図１８は、別の実施形態のプリンタの外観の概略図である。
【図１９】図１９は、コンピュータ本体のドライバの設定を行う場合のフロー図である。
【図２０】図２０Ａはカートリッジの構造を示す概略図である。図２０Ｂは着脱部の概略図である。
【図２１】図２１は、カートリッジの内部構造、着脱部の内部構造、及び、着脱部にカートリッジを装着したときの様子を示す断面図である。
【図２２】図２２は、アンテナと記憶ユニットとの位置関係の説明図である。
【図２３】図２３は、図２２の場合の送受信部の説明図である。
【図２４】図２４は、本実施形態の通信動作の説明図であり、アンテナがメモリカードに通信できない状態を示す説明図である。
【図２５】図２５は、本実施形態の通信動作の説明図であり、アンテナがメモリカードに通信可能な状態を示す説明図である。
【図２６】図２６は、他の実施形態のアンテナと記憶ユニットとの位置関係の説明図である。
【図２７】図２７は、図２６の場合の送受信部の説明図である。
【図２８】図２８は、他の実施形態のアンテナと記憶ユニットとの位置関係の説明図である。
【図２９】図２９は、他の実施形態の記憶ユニットの配置とアンテナの配置の説明図である。
【符号の説明】
【０１５９】
１  プリンタ、３  筐体、５  上蓋、７  操作部、
１０  紙搬送ユニット、１１Ａ  給紙挿入口、１１Ｂ  排紙口、
１２  給紙モータ、１３  給紙ローラ、１４  プラテン、
１５  紙送りモータ（ＰＦモータ）、
１６  紙送りモータドライバ（ＰＦモータドライバ）、
１７Ａ  紙送りローラ、１７Ｂ  排紙ローラ、
１８Ａ、１８Ｂ  フリーローラ、１９Ａ・１９Ｂ・１９Ｃ  歯車、
２０  インク吐出ユニット、２１  ヘッド、２２  ヘッドドライバ、
３０  クリーニングユニット、３１  ポンプ装置、３２  ポンプモータ、
３３  ポンプモータドライバ、３５  キャッピング装置、
４０  キャリッジユニット、４１  キャリッジ、
４２  キャリッジモータ（ＣＲモータ）、
４３  キャリッジモータドライバ（ＣＲモータドライバ）、
４４  プーリ、４５  タイミングベルト、４６  ガイドレール、
５０  計測器群、５１  リニア式エンコーダ、
５１１  リニアスケール、５１２  検出部、
５１２Ａ  発光ダイオード、５１２Ｂ  コリメータレンズ、５１２Ｃ  検出処理部、
５１２Ｄ  フォトダイオード、５１２Ｅ  信号処理回路、５１２Ｆ  コンパレータ、
５２  ロータリー式エンコーダ、５３  紙検出センサ、
６０  制御ユニット、６１  ＣＰＵ、６２  タイマ、
６３  インターフェース部、６４  ＡＳＩＣ、６５  メモリ、
６６  ＤＣコントローラ、６７  ホストコンピュータ、
７０  カートリッジ、７１  本体、７２  インク収容部、７３  インク供給口、
８０  フレーム（着脱部）、８１  保持部、８２  底部、
８３  針、８４  凹部、８５  ガイド、８６  固定具、
８７  蓋、８８  回転軸、８９  留め具
９０  記憶ユニット、９１  ＩＣチップ、９１１  整流器、
９１３  信号解析部ＲＦ、９１５  制御部、９１７  メモリセル、
９２  コンデンサ、９３  アンテナ、９４  皮膜、９５  送受信部、
９６  アンテナ、９７  送受信回路、
１００  スロット、１１０  メモリカード、
１１１  ＩＣチップ、１１１１  整流器、１１１３  信号解析部ＲＦ、
１１１５  制御部、１１１７  メモリセル、
１１２  コンデンサ、１１３  アンテナ、１１４  皮膜、
２００  パッケージ、２１０  紙、２２０  包装手段
【図１】
2006281791.tif 000003
【図２】
2006281791.tif 000004
【図３】
2006281791.tif 000005
【図４】
2006281791.tif 000006
【図５】
2006281791.tif 000007
【図６】
2006281791.tif 000008
【図７】
2006281791.tif 000009
【図８】
2006281791.tif 000010
【図９】
2006281791.tif 000011
【図１０】
2006281791.tif 000012
【図１１】
2006281791.tif 000013
【図１２】
2006281791.tif 000014
【図１３】
2006281791.tif 000015
【図１４】
2006281791.tif 000016
【図１５】
2006281791.tif 000017
【図１６】
2006281791.tif 000018
【図１７】
2006281791.tif 000019
【図１８】
2006281791.tif 000020
【図１９】
2006281791.tif 000021
【図２０】
2006281791.tif 000022
【図２１】
2006281791.tif 000023
【図２２】
2006281791.tif 000024
【図２３】
2006281791.tif 000025
【図２４】
2006281791.tif 000026
【図２５】
2006281791.tif 000027
【図２６】
2006281791.tif 000028
【図２７】
2006281791.tif 000029
【図２８】
2006281791.tif 000030
【図２９】
2006281791.tif 000031